(57)【要約】【課題】可動操作部の移動速度又は回転速度が速い場合において、水栓装置の操作を使用者が望む操作に近づけ、使用者の操作フィーリングを向上させることが可能な水栓装置を提供する。【解決手段】水栓装置(1)は、可動操作部(8,10)の回転速度をリアルタイムで検知する操作検知部(40)と、回転速度に応じて流量調整バルブ(18)又は湯水混合バルブ(16)の弁体駆動速度を決定する駆動速度決定部(42)と、回転速度に基づいて流量等の調整設定値を決定する設定値決定部(44)と、弁体駆動速度で流量調整バルブ等(16,18)を駆動する駆動部(16a,18a)を有する。可動操作部(8,10)の回転速度が基準速度よりも大きい場合、調整設定値が高流量設定値又は高温設定値以上になるとき、駆動速度決定部(42)は、弁体駆動速度を０に決定し、駆動部(16,18)は、流量調整バルブ等(16,18)の弁体を停止させる。【選択図】図２
2010084864.tif 000002
【特許請求の範囲】
【請求項１】
流量又は温度を調整するための可動操作部と、可動操作部の操作に基づいて電気的に駆動される弁体によって流量又は温度が調整される流量調整バルブ又は湯水混合バルブと、を備えた水栓装置であって、
前記可動操作部の移動速度又は回転速度をリアルタイムで検知する操作検知部と、
前記移動速度又は回転速度を増大させるにつれて前記流量調整バルブ又は湯水混合バルブの弁体駆動速度を増大させるように、前記弁体駆動速度を決定する駆動速度決定部と、
前記可動操作部の移動速度又は回転速度に基づいて流量又は温度の調整設定値を決定する設定値決定部と、
前記弁体駆動速度で前記流量調整バルブ又は湯水混合バルブの弁体を駆動する駆動部と、を有し、
前記可動操作部の移動速度又は回転速度が、予め決められた高速時基準速度よりも大きい場合、前記設定値決定部によって決定された調整設定値が、予め決められた高流量設定値又は高温設定値以上になるときに、前記駆動速度決定部は、前記弁体駆動速度を０に決定することを特徴とする水栓装置。
【請求項２】
前記弁体駆動速度は、前記移動速度又は回転速度に対して比例することを特徴とする請求項１に記載の水栓装置。
【請求項３】
前記駆動速度決定部は、前記弁体駆動速度を０に決定した後、前記可動操作部の移動速度又は回転速度に関わらず前記弁体駆動速度を０に維持し、前記可動操作部の移動速度又は回転速度が０になった後、再び、前記移動速度又は回転速度を増大させるにつれて前記弁体駆動速度を増大させるように、前記弁体駆動速度を決定することを特徴とする、請求項１又は２に記載の水栓装置。
【請求項４】
前記設定値決定部によって決定された調整設定値が、予め決められた高流量設定値又は高温設定値よりも大きく、且つ、前記可動操作部の移動速度又は回転速度が、予め決められた低速時基準速度よりも大きいとき、前記駆動速度決定部は、前記弁体駆動速度を０に決定することを特徴とする、請求項１に記載の水栓装置。
【請求項５】
前記移動速度又は回転速度に対する前記弁体駆動速度の比率が、流量又は温度の前記調整設定値が前記高流量設定値又は高温設定値未満であるときよりも流量又は温度の前記調整設定値が前記高流量設定値又は高温設定値以上であるほうが大きいことを特徴とする、請求項１乃至４のいずれか１項に記載の水栓装置。
【請求項６】
前記可動操作部の移動速度又は回転速度に関わらず前記弁体駆動速度を０に維持していることを知らせる報知部を有することを特徴とする、請求項１又は２に記載の水栓装置。
【発明の詳細な説明】
【技術分野】
【０００１】
本発明は、水栓装置に関し、更に詳細には、流量又は温度を調整するための可動操作部と、可動操作部の操作に基づいて電気的に駆動される流量調整バルブ又は湯水混合バルブと、を備えた水栓装置に関する。
【背景技術】
【０００２】
水栓装置から吐水される流量又は温度を調整するために、操作部の操作に基づいて、流量調整バルブ又は湯水混合バルブを電気的に駆動させる水栓装置、いわゆる電子水栓が知られている（特許文献１及び２参照）。
【０００３】
押しボタン式の操作部を有する水栓装置（例えば、特許文献１）では、流量又は温度の上昇ボタン及び下降ボタンを複数回押したり、押した状態を維持したりすることによって、流量又は温度の調整設定値を決定する。
【０００４】
回転移動式の操作部を有する水栓装置（例えば、特許文献２）では、操作部の移動位置又は回転位置に応じて、流量又は温度の調整設定値を決定する。
【０００５】
【特許文献１】特開昭６３−１４２４０７号公報
【特許文献２】特開２００１−２０８２２９号公報
【発明の開示】
【発明が解決しようとする課題】
【０００６】
従来技術の電子水栓装置では、使用者の操作に応じた流量または温度の水が吐水されるが、誤操作については配慮されていない。例えば急いで吐水させようとして操作部を高速で操作し、誤って操作部の操作量を、使いやすい吐水量に対応した水量設定位置以上に回転させてしまった場合、吐水量が多くなりすぎるため、設置しているシンクや洗面器から水はねして衣服や周囲を汚す恐れがある。また、温度設定の際に同様の操作を行うと、所望する温度以上の高温水が吐出し、熱エネルギーをムダにしたり、使用者に不快感を与えたりする恐れがある。
【０００７】
上記課題に応用できる可能性のあるものとして、従来の機械的に温度調節を行う湯水混合水栓がある。これは吐水温度設定部にロックボタンがあり、ボタンを押しながらでないと、規定値以上の高温に設定できないようにしたものである。しかしながら、この方式では、使用者は高温吐水を所望する場合には必ずロックボタンを押すという作業が必要になり、手間がかかるという課題があった。
【０００８】
そこで、本発明は、水栓装置の操作を使用者が望む操作に近づけ、使用者の操作フィーリングを向上させることが可能である水栓装置を提供することを目的としている。
【課題を解決するための手段】
【０００９】
上記目的を達成するために、本発明による水栓装置は、流量又は温度を調整するための可動操作部と、可動操作部の操作に基づいて電気的に駆動される弁体によって流量又は温度が調整される流量調整バルブ又は湯水混合バルブと、を備えた水栓装置であって、可動操作部の移動速度又は回転速度をリアルタイムで検知する操作検知部と、移動速度又は回転速度を増大させるにつれて流量調整バルブ又は湯水混合バルブの弁体駆動速度を増大させるように、弁体駆動速度を決定する駆動速度決定部と、可動操作部の移動速度又は回転速度に基づいて流量又は温度の調整設定値を決定する設定値決定部と、弁体駆動速度で流量調整バルブ又は湯水混合バルブの弁体を駆動する駆動部と、を有し、可動操作部の移動速度又は回転速度が、予め決められた高速時基準速度よりも大きい場合、設定値決定部によって決定された調整設定値が、予め決められた高流量設定値又は高温設定値以上になるときに、駆動速度決定部は、弁体駆動速度を０に決定することを特徴としている。
【００１０】
このように構成された本発明の水栓装置では、駆動速度決定部は、移動速度又は回転速度を増大させるにつれて弁体駆動速度を増大させるように、弁体駆動速度を決定するので、可動操作部の移動速度又は回転速度が大きいとき、使用者が流量又は温度の粗調整を望んでいると推定し、流量調整バルブ又は湯水混合バルブの弁体駆動速度を大きくする。それにより、流量又は温度の調整設定値を使用者が望む目標の調整設定値に早く到達させることができる。また、可動操作部の移動速度又は回転速度が小さいとき、使用者が流量又は温度の微調整を行うことを望んでいると推定し、流量調整バルブ又は湯水混合バルブの弁体駆動速度を小さくする。それにより、調整設定値を使用者が望む目標の調整設定値に徐々に近づけることができる。一方、可動操作部の移動速度又は回転速度が大きいとき、移動速度又は回転速度が使用者の予想よりも大きくなりすぎたり、使用者の操作が追いつかなかったりして、流量又は温度の調整設定値が使用者が望む調整設定値よりも大きくなりすぎる可能性がある。本発明の水栓装置では、可動操作部の移動速度又は回転速度が、予め決められた高速時基準速度よりも大きい場合、設定値決定部によって決定された調整設定値が、予め決められた高流量設定値又は高温設定値以上になるときに、駆動速度決定部は、弁体駆動速度を０に決定し、流量調整バルブ又は湯水混合バルブの弁体を停止させる。それにより、可動操作部の移動速度又は回転速度が高速時基準速度よりも大きいとき、流量又は温度の調整設定値が使用者が望む調整設定値よりも大きくなりすぎることを防止することができる。かくして、水栓装置の操作を使用者が望む操作に近づけ、使用者の操作フィーリングを向上させることが可能になる。
【００１１】
本発明による水栓装置において、好ましくは、弁体駆動速度は、移動速度又は回転速度に対して比例する。
【００１２】
また、本発明による水栓装置において、好ましくは、駆動速度決定部は、弁体駆動速度を０に決定した後、可動操作部の移動速度又は回転速度に関わらず弁体駆動速度を０に維持し、可動操作部の移動速度又は回転速度が０になった後、再び、移動速度又は回転速度を増大させるにつれて弁体駆動速度を増大させるように、弁体駆動速度を決定する。
【００１３】
このように構成された水栓装置では、駆動速度決定部が弁体駆動速度を０に決定した後直ぐに、移動速度または回転速度が高速時基準速度よりも小さくなっても動いている間（即ち移動速度又は回転速度が０を超える間）は、使用者が流量又は温度の調整設定値を増大させることを望んでいないと推定し、可動操作部の移動速度又は回転速度に関わらず弁体駆動速度を０に維持する。そして、可動操作部の移動速度又は回転速度が０になった後であれば、使用者が可動操作部の操作により流量又は温度の調整設定値を増大させることを許容すると推定し、移動速度又は回転速度を増大させるにつれて弁体駆動速度を増大させるように、弁体駆動速度を決定する。かくして、水栓装置の操作を使用者が望む操作に近づけ、使用者の操作フィーリングを向上させることが可能になる。
【００１４】
本発明による水栓装置において、好ましくは、設定値決定部によって決定された調整設定値が、予め決められた高流量設定値又は高温設定値よりも大きく、且つ、可動操作部の移動速度又は回転速度が、予め決められた低速時基準速度よりも大きいとき、駆動速度決定部は、弁体駆動速度を０に決定する。
【００１５】
本発明による水栓装置では、上記高流量設定値又は高温設定値よりも大きい調整範囲は狭く、そのため、その範囲にある可動操作部の移動速度又は回転速度は、可動操作部が上記高流量設定値又は高温設定値を跨ぐ広い調整範囲で操作される場合に比べて比較的低速にて操作されるが、それでも、その速度が低速時基準温度よりも大きいと駆動速度決定部が弁体駆動速度を０に決定し、流量調整バルブ又は湯水混合バルブの弁体を停止させる。調整設定値が高流量設定値又は高温設定値以上である場合において、使用者が望まない大きい調整設定値になることを防止することができる。
【００１６】
上記水栓装置において、好ましくは、移動速度又は回転速度に対する、弁体駆動速度の比率が、流量又は温度の調整設定値が高流量設定値又は高温設定値未満であるときよりも流量又は温度の調整設定値が高流量設定値又は高温設定値以上であるほうが大きい。
【００１７】
このように構成された水栓装置では、調整設定値が上記高流量設定値又は高温設定値よりも大きく、且つ、移動速度又は回転速度が上記低速時基準速度よりも小さいとき、使用者が、調整設定値が高流量設定値又は高温設定値以上であることを認識しつつ積極的に調整設定値を変化させることを望んでいると推定する。そして、移動速度又は回転速度に対する弁体駆動速度の比率は、流量又は温度の調整設定値が高流量設定値又は高温設定値未満であるときよりも流量又は温度の調整設定値が高流量設定値又は高温設定値以上であるほうが大きくすることにより、使用者の使い勝手をよくすることができる。
【００１８】
本発明による水栓装置において、好ましくは、可動操作部の移動速度又は回転速度に関わらず弁体駆動速度を０に維持していることを知らせる報知部を有する。
【００１９】
このように構成された水栓装置では、使用者が、弁体駆動速度が０であることを認識できるので、弁体が作動しないときに水栓装置が故障していると誤認することを防止できる。
【発明の効果】
【００２０】
以上説明したように、本発明による水栓装置によれば、水栓装置の操作を使用者が望む操作に近づけ、使用者の操作フィーリングを向上させることが可能にする。
【発明を実施するための最良の形態】
【００２１】
次に、添付図面を参照して、本発明の例示の実施形態を説明する。
【００２２】
図１は、水栓装置の概略図である。図２は、水栓装置の水栓機能部の概略図である。図３は、水栓装置の可動操作部の断面図である。
【００２３】
図１に示すように、本発明による水栓装置１は、洗面ボウル２が配置された洗面カウンタ４と、洗面ボウル２に吐水するように設けられた吐水口６ａを有する水栓本体６と、洗面ボウル２のそばの洗面カウンタ４に設けられた２つの可動操作部８、１０と、洗面カウンタ４の下側に配置された水栓機能部１２（図２参照）とを有している。一方の可動操作部８は、水栓本体６の吐水口６ａからの吐水、止水の切替え及び吐水流量の調整を行うためのものであり、他方の可動操作部１０は、吐水温度の調整を行うためのものである。
【００２４】
図２に示すように、水栓機能部１２は、給湯管１４ａ及び給水管１４ｂに接続された温度調整バルブ即ち湯水混合バルブ１６と、湯水混合バルブ１６と吐水口６ａとの間に接続された流量調整バルブ１８と、水栓機能部１２を制御する制御部２０を有している。
【００２５】
制御部２０は、可動操作部８、１０等からの信号を入力するための入力インターフェイス、制御プログラム及び制御データ等を記憶するメモリ、制御プログラムを実行するマイクロプロセッサ、湯水混合バルブ１６及び流量調整バルブ１８等に信号を出力する出力インターフェイス（以上、図示せず）を有している。
【００２６】
湯水混合バルブ１６の弁体１６ｂは、モータ１６ａに連結され、吐水温度調整用の可動操作部１０の操作に基づいて制御部２０によって電気的に駆動される。モータ１６ａを制御して、弁体の位置を変え、給湯管１４ａから流入する湯量と給水管１４ｂから流入する水量の混合割合を変えることにより、吐水温度を変化させることが可能である。制御部２０に接続された温度センサ２２を、湯水混合バルブ１６と流量調整バルブ１８との間に設け、制御部２０が、温度センサ２２からの信号に基づいて吐水温度のフィードバック制御を行うことが好ましい。
【００２７】
流量調整バルブ１８の弁体１８ｂは、モータ１８ａに連結され、吐水流量調整用の可動操作部８の操作に基づいて制御部２０よって電気的に駆動される。モータ１８ａを制御して、弁体の位置を変えることにより、吐水流量を変化させることが可能である。
【００２８】
可動操作部８、１０は同じ構造を有している。図３に示すように、各可動操作部８、１０は、洗面カウンタ４を上下方向に貫通し且つ洗面カウンタ４に固定された中空筒状の操作部本体２６と、操作部本体２６を上側から覆うように且つ操作部本体２６に対して回転移動可能に取付けられた円筒状の操作ハンドル２８とを有している。具体的には、操作部本体２６は、その上部に形成されたフランジ部２６ａと、その下部に形成された雄ネジ部２６ｂと、貫通孔２６ｃと、貫通孔２６ｃの下部に形成された拡径段部２６ｄとを有し、拡径段部２６ｄは、雌ネジ部２６ｅを有している。操作部本体２６は、雄ネジ部２６ｂに螺合するナット３０によって、洗面カウンタ４にパッキン及びワッシャ３１を介して固定されている。また、ロータリーエンコーダ３２がナット３２ａによってプレート３２ｂに固定されると共に、ロータリーエンコーダ３２が貫通孔２６ｃ内に位置するように、プレート３２ｂが、雌ネジ部２６ｅに螺合するナット３４によって拡径段部２６ｄに固定されている。操作ハンドル２８は、円形の上壁２８ａと、上壁２８ａの周囲から下方に延びる側壁２８ｂと、上壁２８ａの中心から下方に延びる軸部２８ｃとを有し、軸部２８ｃとロータリーエンコーダ３２の回転軸３２ｄとが連結されている。操作ハンドル２８と操作部本体２６との間に環状のパッキン３６が設けられることが好ましい。操作ハンドル２８及びロータリーエンコーダ３２は、時計回り及び反時計回りに無限に回転可能である。ロータリーエンコーダ３２は、回転方向を検知できる種類であることが好ましい。
【００２９】
図２に示すように、制御部２０は、可動操作部８、１０の操作ハンドル２８の回転速度をリアルタイムで検知する操作検知部４０と、回転速度を増大させるにつれて流量調整バルブ１８及び湯水混合バルブ１６の弁体駆動速度を増大させるように、弁体駆動速度を決定する駆動速度決定部４２と、回転速度に基づいて温度の調整設定値を決定する設定値決定部４４とを有している。また、報知部４６が制御部２０に接続されている。報知部４６は、例えば、点灯又は点滅するライトであってもよいし、ブザーであってもよい。
【００３０】
操作検知部４０は、ロータリーエンコーダ３２からのパルス信号に基づいて、可動操作部８、１０の操作ハンドル２８の回転速度を検知するように構成されている。また、操作検知部は、ロータリーエンコーダ３２からのパルス信号に基づいて、可動操作部８、１０の操作ハンドル２８の回転方向が、流量又は温度を増大させる増大方向（時計回り）か、流量又は温度を減少させる減少方向（反時計回り）かを検知するように構成されている。
【００３１】
駆動速度決定部４２は、操作ハンドル２８の回転方向が増大方向である場合と減少方向である場合の両方において、操作ハンドル２８の回転速度を増大させるにつれて湯水混合バルブの弁体駆動速度を増大させるように、弁体駆動速度を決定する。弁体駆動速度は、回転速度に対して比例することが好ましい。
【００３２】
設定値決定部４４は、例えば、現在の温度調整設定値に、回転速度に時間を掛け算した値に対応する温度変化を加算することにより流量又は温度の調整設定値を決定する。
【００３３】
次に、制御部２０の動作を説明する。吐水温度調整用の可動調整部１０によって湯水混合バルブ１６を制御する場合と、吐水流量調整用の可動調整部８によって流量調整バルブ１８を制御する場合は同様であるので、前者だけを説明する。
【００３４】
可動操作部１０の操作ハンドル２８を回転させることにより、ロータリーエンコーダ３２がパルスを発生させる。操作検知部４０は、パルスの個数及び位相と時間から、操作ハンドル２８の回転速度と回転方向を検知する。次いで、駆動速度決定部４２は、弁体駆動速度を決定する。この決定の仕方については、後で詳細に説明する。次いで、調整値決定部４４は、現在の温度調整設定値に、回転速度に時間を掛け算した値に対応する温度変化を加算することにより新しい温度の調整設定値を決定する。一方、制御部２０は、湯水混合バルブ１６の弁体１６ｂをモータ１６ａを介して弁体駆動速度で駆動する。操作検知部４０は、ロータリーエンコーダ３２のパルスをリアルタイムで検知し、制御部２０は、上記動作を繰り返す。
【００３５】
次に、駆動速度決定部４２における弁体駆動速度の決定の仕方を説明する。操作ハンドル２８の回転方向が減少方向である場合、弁体駆動速度は、操作ハンドル２８の回転速度を増大させるにつれて弁体駆動速度を増大させるように決定される。弁体駆動速度は、回転速度に対して比例することが好ましい。また、操作ハンドル２８の回転方向が増大方向である場合、原則として、弁体駆動速度は、操作ハンドル２８の回転速度を増大させるにつれて弁体駆動速度を増大させるように決定される。弁体駆動速度は、回転速度に対して比例することが好ましい。
【００３６】
操作ハンドル２８の回転方向が増大方向である場合、回転速度が、予め決められた高速時基準速度ＶＨ２よりも大きく、且つ、設定値決定部４４によって決定された温度の調整設定値が、予め決められた高温設定値（例えば、４０℃）以上になるとき、駆動速度決定部４２は、弁体駆動速度を０に決定し、湯水混合バルブ１６のモータ１６ａは、湯水混合バルブ１６の弁体１６ｂを停止させる。
【００３７】
この動作により、流量又は温度の調整設定値が使用者が望む調整設定値よりも大きくなりすぎることを防止することができる。
【００３８】
その後、駆動速度決定部４２は、操作ハンドル回転速度に関わらず弁体駆動速度を０に維持し、回転速度が０になった後、再び、回転速度を増大させるにつれて弁体駆動速度を増大させるように、弁体駆動速度を決定する。操作ハンドルの回転速度に関わらず弁体駆動速度を０に維持している間、そのことを報知部４６が使用者に知らせることが好ましい。
【００３９】
この動作により、使用者の望みに応じて、高温設定値よりも高い温度の吐水を行うことができる。
【００４０】
操作ハンドル２８の回転方向が増大方向である場合、回転速度が、予め決められた高速時基準速度ＶＨ２よりも小さいとき、設定値決定部４４によって決定された温度の調整設定値が、予め決められた高温設定値以上になっても、駆動速度決定部４２は回転速度を増大させるにつれて弁体駆動速度を増大させるように、弁体駆動速度を決定する。しかしながら、設定値決定部によって決定された調整設定値が、高温設定値よりも大きく、且つ、操作ハンドル２８の回転速度が、予め決められた低速時基準速度ＶＨ１よりも大きいとき、駆動速度決定部４２は、弁体駆動速度を０に決定し、湯水混合バルブ１６の弁体１６ｂを停止させる。
【００４１】
この動作により、使用者が操作ハンドルを低速で操作している場合であっても、使用者が意図せずに大きい調整設定値になることを防止することができる。
【００４２】
変形例として、操作ハンドル２８の回転方向が増大方向である場合、駆動速度決定部４２によって決定される弁体駆動速度が操作ハンドル２８の回転速度に対して比例するとき、回転速度に対する弁体駆動速度の比例係数（即ち回転速度に対する弁体駆動速度の比率）は、温度の調整設定値が高温設定値未満であるときよりも温度の調整設定値が高温設定値以上であるほうが大きくなるようにしてもよい。
【００４３】
この動作により、高温設定値よりも高い温度にするために、操作ハンドル２８を非常にゆっくりと操作していても、弁駆動速度が比較的大きくなり、吐水温度の調整設定値が上昇するので、使用者の使い勝手をよくすることができる。
【００４４】
次に、図４及び図５を参照して、吐水温度を調整する操作例を説明する。これらの図において、ｖ１〜ｖ４は操作ハンドル２８の回転速度を表し、ＶＨ１、ＶＨ２はそれぞれ低速時基準速度及び高速時基準速度を表し、０＜ｖ１＜ｖ２＜ＶＨ１＜ｖ３＜ＶＨ２＜ｖ４の関係にある。また、ｖ１〜ｖ４に対応する、弁体駆動速度をｂ１〜ｂ４で表し、これらの弁体駆動速度は、ｂ１（ｂ１’）＜ｂ２（ｂ２’）＜ｂ３＜ｂ４の関係を有する。
【００４５】
図４は、第１の操作例を示すタイムチャートである。図４（ｂ）は、吐水温度調整用の操作ハンドル２８の回転角度を示し、図４（ａ）は、それに対応する吐水温度調整設定値を示す。
【００４６】
図４（ｂ）に示すように、ステップＳ１〜Ｓ４において、操作ハンドル２８を、吐水温度を増大させるように回転させることと、操作ハンドル２８の回転を停止させることを２回繰り返す。ステップＳ１における回転速度はｖ１であり、ステップＳ２における回転速度はｖ４である。次いで、ステップＳ５〜Ｓ６において、操作ハンドル２８を、吐水温度を減少させるようにそれぞれの回転速度ｖ２、ｖ４で回転させ、ステップＳ７において、操作ハンドル２８の回転を停止させる。次いで、ステップＳ８、Ｓ９においてそれぞれ、操作ハンドル２８を、吐水温度を増大させるように回転速度ｖ２、ｖ３で回転させた後、ステップＳ１０において、操作ハンドル２８の回転を停止させ、ステップＳ１１において、吐水速度を減少させるように回転速度ｖ４で回転させ、ステップＳ１２において、操作ハンドル２８の回転を停止させる。次いで、ステップＳ１３、Ｓ１４においてそれぞれ、操作ハンドル２８を、吐水温度を増大させるように回転速度ｖ４、ｖ１で回転させ、ステップＳ１５において、操作ハンドル２８の回転を停止させ、ステップＳ１６において、操作ハンドル２８を、吐水温度を増大させるように回転速度ｖ１で回転させる。
【００４７】
図４（ａ）に示すように、ステップＳ１〜Ｓ３ａにおいて、吐水温度の調整設定値が高温設定値未満なので、回転速度ｖ１、０、ｖ４に対応して、弁体駆動速度は、ｂ１、０、ｂ４と推移し、吐水温度の調整設定値が高温設定値に達する。ステップＳ３ｂにおいて、回転速度ｖ４が予め定められた高速時基準速度ＶＨ２よりも大きいので、吐水温度の調整設定値が高温設定値以上になるとき、弁体駆動速度が０になり、吐水温度の調整設定値が高温設定値に維持される。ステップＳ４において、回転速度が０なので、弁体駆動速度は０のままである。ステップＳ５〜Ｓ７において、吐水温度を減少させる方向なので、回転速度ｖ２、ｖ４、０に対応して、弁体駆動速度は、ｂ２、ｂ４、０と推移し、吐水温度の調整設定値は０になる。
【００４８】
ステップＳ８ａにおいて、吐水温度の調整設定値が高温設定値未満なので、回転速度ｖ２に対応して、弁体駆動速度は、ｂ２である。次いで、ステップＳ８ｂにおいて、回転速度ｖ２が予め定められた高速時基準速度ＶＨ２よりも小さいので、吐水温度の調整設定値が高温設定値以上になっても、弁体駆動速度はｂ２のままであり、吐水温度の調整設定値が高温設定値よりも大きくなる。
【００４９】
ステップＳ９において、回転速度ｖ３が予め定められた低速時基準速度ＶＨ１よりも大きいので、弁体駆動速度は０になり、吐水温度の調整設定値が変化しない。
【００５０】
ステップＳ１０において、回転速度が０なので、弁体駆動速度は０のままである。ステップＳ１１〜Ｓ１３ａにおいて、吐水温度の調整設定値が温度減少方向又は高温設定値未満であるので、弁体駆動速度は、ｂ４、０、ｂ４と推移する。ステップＳ１３ｂにおいて、回転速度ｖ４が予め定められた高速時基準速度ＶＨ２よりも大きいので、吐水温度の調整設定値が高温設定値以上になるとき、弁体駆動速度が０になり、吐水温度の調整設定値が高温設定値に維持される。その後、ステップＳ１４において、回転速度に関わらず弁体駆動速度が０に維持される。Ｓ１５において、回転速度が０になり、弁体駆動速度を増大させて、吐水温度の調整設定値を変化させることが可能になる。ステップＳ１６において、回転速度ｖ１が予め定められた高速時基準速度ＶＨ２よりも小さいので、吐水温度の調整設定値が高温設定値以上であるが、弁体駆動速度はｂ１に維持され、吐水温度の調整設定値が高温設定値よりも大きくなる。
【００５１】
図５は、第２の操作例を示すタイムチャートである。図５（ｂ）は、吐水温度調整用の操作ハンドル２８の回転角度を示し、図５（ａ）は、それに対応する吐水温度調整設定値を示す。図５（ｂ）は、図４（ｂ）と同様である。
【００５２】
また、図５（ａ）に示す吐水温度設定値の変化は、ステップＳ８ｂにおいて、弁体駆動速度がｂ２’（＞ｂ２）であることと、ステップＳ１６において弁体駆動速度がｂ１’（＞ｂ１）であること以外、図４（ａ）に示すタイムチャートと同様である。第２の操作例のように、回転速度に対する弁体駆動速度の比例係数が、温度の調整設定値が高温設定値未満であるときよりも温度の調整設定値が高温設定値以上であるほうが大きくなってもよい。
【００５３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００５４】
上述した第１の操作例及び第２の操作例において、吐水温度を調整する場合を説明したが、吐水流量を調整する場合も同様である。
【００５５】
上記実施形態では、操作検知部４０において速度を検知するために、ロータリーエンコーダ３２を使用したけれども、速度を直接検出できるセンサを使用してもよいし、加速度計を使用してもよい。
【００５６】
また、上記実施形態では、回転する可動操作部８、１０を説明したけれども、直線的に又は曲線的に（例えば、ループをなして）移動する可動操作部であってもよい。
【００５７】
上記実施形態では、低速時基準速度ＶＨ１は、高速時基準速度ＶＨ２よりも小さかったが、高速時基準速度ＶＨ２と同じであってもよいし、それよりも大きくてもよい。
【００５８】
上記実施形態では、温度の調整設定値を決めるために、可動操作部１０の回転速度（移動速度）を基に算出しているが、本発明はそれに限定されず、例えば、駆動速度決定部４２で決定された弁体駆動速度に時間を掛け算して、弁体１６ｂの移動位置を求め、それに対応する流量又は温度の調整設定値を算出したりすることも可能である。
【図面の簡単な説明】
【００５９】
【図１】本発明による水栓装置の概略図である。
【図２】水栓装置の水栓機能部の概略図である。
【図３】水栓装置の可動操作部の概略図である。
【図４】第１の操作例を示すタイムチャートである。
【図５】第２の操作例を示すタイムチャートである。
【符号の説明】
【００６０】
１  水栓装置
８、１０  可動操作部
１６  湯水混合バルブ
１６ａ  駆動部
１６ｂ  弁体
１８  流量調整バルブ
１８ａ  駆動部
１８ｂ  弁体
４０  操作検知部
４２  駆動速度決定部
４４  設定値決定部
４６  報知部
ＶＨ１  低速時基準速度
ＶＨ２  高速時基準速度
【図１】
2010084864.tif 000003
【図２】
2010084864.tif 000004
【図３】
2010084864.tif 000005
【図４】
2010084864.tif 000006
【図５】
2010084864.tif 000007